(57)【要約】  本発明は、記録担体からデータを読み出す方法であって、光源の第１の動作モードおよび第２の動作モードで記録担体を照射することにより、読出信号を取得する工程と、光源の第１の動作モードおよび第２の動作モードについて、読出信号の品質因子を計算する工程と、計算された品質因子に基づいて、光源の最良の動作モードを決定する工程と、決定された光源の最良の動作モードを、記録担体からのデータ読出しのために選択する工程とを含む方法に関する。この方法は、高速ブルーレイディスクアプリケーションに有用である。
2009527868.tif 000002
【特許請求の範囲】
【請求項１】
記録担体からデータを読み出す方法であって、
光源の第１の動作モードおよび第２の動作モードで前記記録担体を照射することにより、読出信号を取得する工程と、
前記光源の前記第１の動作モードおよび前記第２の動作モードについて、前記読出信号の品質因子を計算する工程と、
計算された前記品質因子に基づいて、前記光源の最良の動作モードを決定する工程と、
決定された前記光源の前記最良の動作モードを、前記記録担体からのデータ読出しのために選択する工程とを含むことを特徴とする方法。
【請求項２】
前記光源の前記第１の動作モードにおいて、前記記録担体の読出中に前記光源に電流を供給する光変調器のスイッチがオン状態とされ、前記光源の前記第２の動作モードにおいて、前記記録担体の読出中に前記光源に電流を供給する前記光変調器のスイッチがオフ状態とされることを特徴とする請求項１記載の方法。
【請求項３】
初期設定中において、前記光源の前記第１の動作モードで許容される最大読出パワーと、前記光源の前記第２の動作モードで許容される最大読出パワーとを用いて、前記読出信号を取得する工程を含むことを特徴とする請求項２記載の方法。
【請求項４】
前記品質因子が、半径方向チルトのジッタ範囲に基づいて計算されることを特徴とする請求項１から３いずれか１項記載の方法。
【請求項５】
前記品質因子が、焦点オフセットのジッタ範囲に基づいて計算されることを特徴とする請求項１から３いずれか１項記載の方法。
【請求項６】
前記光源の前記最良の動作モードが、より幅広の品質因子窓をもたらす動作モードであることを特徴とする請求項４または５記載の方法。
【請求項７】
前記記録担体がブルーレイディスクであることを特徴とする請求項１から６いずれか１項記載の方法。
【請求項８】
記録担体からデータを読み出す装置であって、
光源の第１の動作モードおよび第２の動作モードで前記記録担体を照射することにより、読出信号を取得するように構成された読出手段と、
前記光源の前記第１の動作モードおよび前記第２の動作モードについて、前記読出信号の品質因子を計算するように構成された計算手段と、
計算された前記品質因子に基づいて、前記光源の最良の動作モードを決定するように構成された決定手段と、
決定された前記光源の前記最良の動作モードを、前記記録担体からのデータ読出しのために選択するように構成された選択手段とを含むことを特徴とする装置。
【請求項９】
ブルーレイディスクプレーヤー／リーダーであることを特徴とする請求項８記載の装置。
【請求項１０】
請求項１から６いずれか１項記載の方法のすべての工程を実行するための、実行可能なコードを含むことを特徴とするソフトウェアプログラム。
【発明の詳細な説明】
【技術分野】
【０００１】
本発明は、記録担体からデータを読み出す方法に関するものである。
【０００２】
本発明はまた、記録担体からデータを読み出す装置にも関するものである。
【０００３】
本発明はさらに、記録担体からデータを読み出すソフトウェアプログラムにも関するものである。
【背景技術】
【０００４】
データ情報は、たとえば二値データを表しかつトラックを形成するピットとランドとの連なりとして、記録担体上に記録される。この記録担体（たとえばＣＤ、ＤＶＤ、ブルーレイディスク）上に記録された情報は、読出信号から取り出される。光／レーザースポットが、走査のため、トラックに対しロック状態を維持する。回転するディスクを光学的に走査するため、光ディスクドライブは、光ビーム発生器（たとえばレーザーダイオード）と、光／レーザービームをディスク上のスポットに合焦させるための対物レンズと、ディスクから反射される光を受光し、電気検出器信号を生成する光検出器とを含んでいる。反射された光スポットは、光検出器に入射する。光検出器からは、対応の読出信号が導き出される。この読出信号は、最大値／最小値をとる。読出信号がとる値は、読出信号のレベルを低減させるノイズ量に依存する。光ディスクの読出中においては、ノイズを抑制するため、光源／レーザー源に供給される電流は、通常、２００−５００ＭＨｚの周波数の正弦波により変調される。このレーザー変調方法は、ＣＤ−Ｒ／ＲＷ、ＤＶＤおよびブルーレイのプレーヤー／レコーダーにおいて使用されている。光ディスク装置の１つの形態が、特開昭６３−２７６７２０号公報に開示されており、この形態では、光ディスクの読出中において、レーザー用電流が変調される。光ディスクの再生パワーに従って高周波重畳電流を変化させることにより、レーザーのノイズを低減させるために変調が施される。そうして、変調因子が最適化され、レーザーのノイズが低減させられる。
【発明の開示】
【発明が解決しようとする課題】
【０００５】
この特開昭６３−２７６７２０号公報に開示されているようにして、レーザー変調をブルーレイプレーヤー／レコーダーに使用することには、１つの難点がある。このレーザー変調を使用することの難点が、図１に図解されている。図１は、レーザー変調が適用されている際の、レーザー源の光出力をプロットした図である。光パワーのピークは平均値よりもずっと高く、また書き込まれたデータを劣化なしで読み出すことを保証するために、これらのピークはある限界を超えるべきではない。したがって、ブルーレイ規格は、最大平均読出パワーが、レーザー変調を行う場合には０．３ｍＷを超えるべきではなく、レーザー変調を適用しない場合（１倍速）には０．４ｍＷを超えるべきではない旨を規定している。このパワーの差は、２．５ｄＢの差に対応し、変調なしの方が好ましいということになる。レーザー変調を適用することのもう１つの難点は、高周波変調されたレーザー用電流をレーザードライバが発生させなくてはならない場合には、レーザードライバのノイズがより大きくなる点である。レーザー変調を使用することのこのさらなる難点は、図２に図解されている。図２は、市場で入手可能なほとんどの光ピックアップユニットで使用されている典型的なレーザードライバの出力の、ノイズ電流のスペクトル密度を、ｎＡ√Ｈｚの単位でプロットした図である。図２において、フロアーレベルは、使用されているノイズアナライザの、（レーザーのスイッチが切られている際の）ノイズレベルである。「ＨＦＭなし」は、レーザー変調が適用されていない際のレーザー光のノイズレベルである。「２０ｍＡｐｐ」は、ピーク間において２０ｍＡのＨＦ電流を用いてレーザーが変調された際の、レーザー光のノイズレベルである。「３０ｍＡｐｐ」は、ピーク間において３０ｍＡのＨＦ電流を用いてレーザー用電流が変調された際の、レーザー光のノイズレベルである。レーザー変調が適用されるとノイズが大幅に増加することが、図２より見て取れる。このことが、全体としてどれだけの信号対雑音比の減少を意味するのかは、読出チャネル中の他のノイズ源に依存する。このため、低い読出パワーにおいてレーザーへのフィードバックノイズを抑制するためにレーザー変調が適用されても、読出信号の信号対雑音比には、顕著な影響を及ぼさない。レーザーのフィードバックノイズ量に影響を与える因子は多数存在し、たとえば、
ａ）レーザーからディスクまでの距離
ｂ）戻ってくる光の量（％）
ｃ）レーザーのタイプ
ｄ）使用される平均レーザーパワー、および光路の偏光特性
等の因子が存在する。
【０００６】
ブルーレイディスクプレーヤー／レコーダー内の青色レーザーのフィードバックノイズは、低いことが分かった。これは主として、レーザーのファセット内に戻ってくる光パワーの割合が、非常に低いことに起因する。低い読出パワーにおいては、レーザーのノイズ量はさらに低く、したがってレーザー変調を使用するという解決策は、必ずしも読出信号の信号対雑音比に良い影響を与えることを保証するものではなく、特にブルーレイ媒体の場合はそうである。
【０００７】
したがって、本発明の１つの目的は、読出信号の信号対雑音比を最適化するような、記録担体からのデータ読出方法を提供することである。
【０００８】
本発明の第２の目的は、読出信号の信号対雑音比を最適化するような、記録担体からデータを読み出す装置を提供することである。
【０００９】
本発明の第３の目的は、読出信号の信号対雑音比を最適化するような、記録担体からデータを読み出すためのソフトウェアプログラムを提供することである。
【課題を解決するための手段】
【００１０】
本発明の第１の目的は、記録担体からデータを読み出す方法であって、
− 光源の第１の動作モードおよび第２の動作モードで記録担体を照射することにより、読出信号を取得する工程と、
− 光源の第１の動作モードおよび第２の動作モードについて、読出信号の品質因子を計算する工程と、
− 計算された品質因子に基づいて、光源の最良の動作モードを決定する工程と、
− 決定された光源の最良の動作モードを、記録担体からのデータ読出しのために選択する工程とを含むことを特徴とする方法を提供することによって、達成される。
【００１１】
本発明の第１の目的は、読出信号のより高い信号対雑音比をもたらす光源動作モードを選択し、それにより読出性能を改善することによって達成される。
【００１２】
上記の方法の１つの実施形態では、光源の第１の動作モードは、光変調器のスイッチをオン状態とすることにより、光源に供給される電流を変調することを含むものとされ、第２の動作モードは、光源に供給される電流を変調しないこと、すなわち記録担体の読出中において光変調器のスイッチをオフ状態とすることを含むものとされる。変調の適用が逆効果を有する場合、すなわち読出信号の信号対雑音比を増大させるよりもむしろ低下させる効果を有する場合には、変調は適用されない。読出中において、２つの動作モード、具体的には、光源に供給される電流を変調するモード（すなわち変調器オン）と、光源に供給される電流を変調しないモード（すなわち変調器オフ）とが比較される。ある特定の記録担体につき、ある特定の速度において、読出信号に与える各動作モードの影響が比較される。読出信号のより高水準の信号対雑音比をもたらすモードが、選択され、記録担体からのデータの読出しに使用される。この光源動作モードの選択は、正当さの証明なしに変調を適用することを防止する。
【００１３】
上記の方法のさらなる実施形態では、上記の方法は、初期設定中において、光源の第１の動作モード（すなわち変調器オン）で許容される最大読出パワーと、光源の第２の動作モード（すなわち変調器オフ）で許容される最大読出パワーとを用いて、読出信号を取得する工程を含むものとされる。起動後において光ドライブは可能な最良の条件でユーザデータを読み出さなくてはならないので、起動時において測定を行うことは有利である。そのため、あらゆるユーザデータが読み出される前に、測定が行われる。より高い読出パワーを使用することにより、信号レベルはより高くなり、結果として信号対雑音比もより高くなる。
【００１４】
上記の方法のさらなる実施形態では、上記の品質因子が、半径方向チルトのジッタ範囲に基づいて計算される。半径方向チルト用アクチュエータの最適設定を見出すため、起動時において光ドライブがこのジッタ範囲を測定することは、非常によく行われる。すなわち、光ドライブは単に、各点を、２つの読出条件に対応して２回測定すればよく、このことは余分な時間をほとんど必要としない。ジッタ曲線は形状的にはかなり狭いので、２つの条件間の違いは、精確に特定することができる。
【００１５】
上記の方法のさらなる実施形態では、上記の品質因子が、焦点オフセットのジッタ範囲に基づいて計算される。フォーカシングアクチュエータの最適設定を見出すため、起動時において光ドライブがこのジッタ範囲を測定することは、非常によく行われる。すなわち、光ドライブは単に、各点を、２つの読出条件に対応して２回測定すればよく、このことは余分な時間をほとんど必要としない。焦点ジッタ曲線は形状的にはかなり狭いので、２つの条件間の違いは、精確に特定することができる。
【００１６】
上記の方法のさらなる実施形態では、上記の方法は、記録担体からデータを読み出すための光源の最良の動作モードを特定するため、より幅広の品質因子窓をもたらすレーザー源の動作モードを探索する。この品質因子窓は、半径方向チルトのジッタ範囲、または焦点オフセットのジッタ範囲である。ここでの思想は、適切な範囲に沿って変化させたときに、明確なジッタ窓をもたらすような変数を利用するという思想である。より幅広の品質因子、すなわちより広いジッタ範囲を選択することにより、たとえばチルトを有するディスクや、粗悪な媒体品質や、アラインメントの取れていない光学系に対して、システムがよりロバストにされる。
【００１７】
上記の実施形態の方法では、記録担体はブルーレイディスクとされる。これは、ブルーレイディスクの読出しにとって信号対雑音比は非常に重要であり、より高い速度においてはますます重要なためである。
【００１８】
本発明の第２の目的は、記録担体からデータを読み出す装置であって、
− 光源の第１の動作モードおよび第２の動作モードで記録担体を照射することにより、読出信号を取得するように構成された読出手段と、
− 光源の第１の動作モードおよび第２の動作モードについて、読出信号の品質因子を計算するように構成された計算手段と、
− 計算された品質因子に基づいて、光源の最良の動作モードを決定するように構成された決定手段と、
− 決定された光源の最良の動作モードを、記録担体からのデータ読出しのために選択するように構成された選択手段とを含むことを特徴とする装置を提供することにより、達成される。
【００１９】
上記の装置の１つの実施形態では、当該装置はブルーレイディスクプレーヤー／リーダーとされる。
【００２０】
本発明の第３の目的は、前出の段落に記載のデータ読出方法を実行するための、実行可能なコードを含むことを特徴とするソフトウェアプログラムを提供することにより達成される。
【発明を実施するための最良の形態】
【００２１】
本発明の上記およびその他の目的は、以下において、図面を参照しながらさらに説明され明らかとされる。以下の説明は、単なる例にすぎない。
【００２２】
図１および図２については、冒頭の段で詳細に説明済みであるので、ここでは繰返しの説明はしない。
【００２３】
図３は、本発明の１つの実施形態の例に従う、記録担体からデータを読み出す方法のフローチャートである。記録担体（たとえばＣＤ、ＤＶＤ、ブルーレイディスク）上に保存されているデータのロバストな読出しを保証するために、良好な品質を有する読出信号を生成する必要がある。入力される読出信号の振幅が小さくかつノイズが非常に多い場合には、データの回復は難しくなる。そのため、記録担体、とりわけブルーレイ光ディスクからデータを読み出す方法として、読出信号がより高い信号対雑音比を有し、それにより読出性能が改善されるような方法が提案される。ステップ３０２において、光源（たとえば青色レーザー）が、第１の動作モードで動作させられる。この第１の動作モードでは、光源に供給される電流（たとえば、データを読み出すために青色レーザーダイオードに供給される電流）が変調される。すなわち、レーザー変調器のスイッチがオン状態とされる。ここでいうレーザー変調器とは、レーザーのフィードバックノイズを抑制するための、高周波変調器を指す。ブルーレイディスクの読出しの際には、この変調器の周波数は、典型的には、書き込まれているデータの周波数よりずっと高い４００ＭＨｚとされる。ステップ３０４において、読出信号Ｒｅａｄｏｕｔｗｉｔｈ  ｍｏｄが取得される。ステップ３０６において、品質因子ＱＦｗｉｔｈ  ｍｏｄが、読出信号Ｒｅａｄｏｕｔｗｉｔｈ  ｍｏｄから計算される。ステップ３０８では、光源（たとえば青色レーザー）が、第２の動作モードで動作させられる。この第２の動作モードでは、レーザー源に供給されるレーザー電流（たとえば、データを読み出すために青色レーザーダイオードに供給される電流）は、変調されない。すなわち、レーザー変調器のスイッチがオフ状態とされる。ステップ３１０において、読出信号Ｒｅａｄｏｕｔｎｏ  ｍｏｄが取得される。ステップ３１２において、品質因子ＱＦｎｏ  ｍｏｄが、読出信号Ｒｅａｄｏｕｔｎｏ  ｍｏｄから計算される。ステップ３１４において、ＱＦｗｉｔｈ  ｍｏｄがＱＦｎｏ  ｍｏｄと比較され、最良の光源動作モードが決定される。ステップ３１６において、決定された最良の光源動作モードが、記録担体からのデータ読出しのために選択される。
【００２４】
本発明に係る方法の１つの実施形態では、光ドライブの最初の起動時に、読出信号Ｒｅａｄｏｕｔｗｉｔｈ  ｍｏｄおよびＲｅａｄｏｕｔｎｏ  ｍｏｄが測定される。この読出信号の測定は、光源の第１の動作モード（すなわちレーザー変調器オン）の許容されている最大の読出パワーを用いること、および光源の第２の動作モード（すなわちレーザー変調器オフ）の許容されている最大の読出パワーを用いることにより行われる。たとえば、ブルーレイディスク規格は、読出パワーが、レーザー変調を行う場合には０．３ｍＷとされるべきであり、レーザー変調を行わない場合には０．４ｍＷとされるべきである旨を規定している。こうして、それぞれの読出パワーを用いて、読出信号が取得される。記録担体（たとえばブルーレイディスク）からのデータの読出しを試みる前に、読出システムは初期設定されなくてはならない。このことは、レーザービームをスポット上に適切に合焦させることができ、かつトラックが適切に追従されることができるように、いくつかの特定のシステムパラメータの値が、最初に決められなくてはならないことを意味する。起動後において光ドライブは可能な最良の条件でユーザデータを読み出さなくてはならないので、起動時において測定を行うことは有利である。そのため、あらゆるユーザデータが読み出される前に、測定が行われる。より高い読出パワーを使用することにより、信号レベルはより高くなり、結果として信号対雑音比もより高くなる。
【００２５】
本発明に係る方法のさらに別の実施形態では、光源（たとえば青色レーザーダイオード）の各動作モードに関する品質因子が、半径方向チルトのジッタ範囲に基づいて計算される。再生動作中において、光ピックアップが自己の光軸をディスクの記録面に対して垂直に維持できるように、記録担体（たとえばブルーレイディスク）がディスクモーターにセットされた際は、記録担体は第１に平坦なディスク形状に維持されるべきである。記録済みのトラックを走査するため、光ピックアップユニットは、ディスクの半径と整列した半径方向に移動する。しかしながら、主として製造過程に起因して、ディスクモーター内にセットされたディスクは平坦ではない。ディスクは、半径方向と円周方向との両方に湾曲している。したがって、光ピックアップユニットは、記録トラックの走査を、自己の光軸をディスクの記録面に対して垂直に保った状態で行うことができない。さらに、ディスクに対する光ピックアップユニットの相対位置によって、角度が変化する。光軸と、記録面の半径方向との間に形成される角度を、半径方向チルト角として定義する。たとえばデータの抽出に用いられる高周波信号に生じる時間エラーに起因して、光ディスクを読み出す際には、ある量のジッタが常に存在する。ディスクと対物レンズとの間のチルト角は、２つの大きな寄与因子の結果としてもたらされるものである。それらの寄与因子とは具体的には、ディスク（製造過程における許容誤差ならびに環境変化による寄与）、およびドライブ（対物レンズアクチュエータ、ターンテーブルモーターの調整、軸調整、ディスク速度等による寄与）である。結果として生じる角度のずれは、ディスク上の光読出スポットの歪みへと繋がる。歪んだ読出スポットはただちに、歪んだ読出信号をもたらし、したがってタイミングエラー（すなわちジッタ）をもたらす。一般に、半径方向チルトが大きくなるにつれて、ジッタはより高い増加率で増加する。半径方向チルトのジッタ範囲に基づく品質因子の計算は、以下の各ステップを含み、この手順で得られるあり得る結果の一例が、図４に示されている。
１．レーザー変調器のスイッチを入れることによりレーザー変調を適用し、読出パワーを、レーザー変調を使用する際に許容される最大値（たとえばブルーレイディスクに対してＰ＝０．３３ｍＷ）に設定する。
２．半径方向チルトの範囲を、Ｎ個の適切な点に分割する（たとえば、−１度から１度の間のＮ＝１５個の点）。
３．Ｎ個のチルト値のそれぞれについて、データ片のジッタを測定する。各チルト値に対して同一のデータを使用する。
４．見出されたジッタ値に対して、適切な曲線フィッティング（たとえば放物線）を施す。
５．予め規定された何らかの限界値Ｊｍａｘでの、ジッタ曲線の窓の幅Ｗ１を計算する。
６．レーザー変調をオフ状態に切り換え、読出パワーを、レーザー変調を使用しない際に許容される最大値（たとえばブルーレイディスクに対してＰ＝０．４ｍＷ）に設定する。
７．ステップ３から５を繰り返し、ジッタ曲線の窓の幅Ｗ２を見出す。
８．Ｗ１またはＷ２の、いずれの窓の幅の方が広いかを特定する。
９．より幅広の窓をもたらすレーザー源の動作モードを、ユーザデータを読み出すためのモードとして選択する。
【００２６】
図４は、レーザー変調を適用しない方が、レーザー変調を適用するよりも幅広の窓Ｗ２を与えることを示している。これは、常にこうというわけではない。異なる条件下ではこの結果は異なるかもしれず、それこそが起動時に測定を行う理由である点に留意されたい。さらに、より幅広の窓を選択することは、たとえばチルトを有するディスクや、粗悪な媒体品質や、アラインメントの取れていない光学系に対して、よりロバストなシステムを持つことができるという利点を有する。本質的には、レーザー源の２つの動作モード、具体的には
モード１：低レーザーパワー、かつ変調オン
モード２：高レーザーパワー、かつ変調オフ
が比較される。より広いマージンをもたらすモードが、データ読出しのために選択される。
【００２７】
半径方向チルト用アクチュエータの最適設定を見出すため、起動時において光ドライブがこのジッタ範囲を測定することは、非常によく行われる。すなわち、光ドライブは単に、各点を、２つの読出条件に対応して２回測定すればよく、このことは余分な時間をほとんど必要としない。ジッタ曲線は形状的にはかなり狭いので、２つの条件間の違いは、精確に特定することができる。ＨＤ−ＤＶＤは変調された読出パワーと変調されていない読出パワーとを区別しないが、ＨＤ−ＤＶＤを読み出すための最良の動作モードを見出すためにも、上記の手順を用いることができる。
【００２８】
本発明に係る方法のさらに別の実施形態では、光源（たとえば青色レーザーダイオード）の各動作モードに関する品質因子が、焦点オフセットのジッタ範囲に基づいて計算される。品質因子を算出する手順は、半径方向チルトに関して先の段落で述べた手順と類似している。光ドライブは、半径方向チルトもしくは焦点オフセット、またはそれら両方、または何らかの別の変数の利用を選択することができる。ここでの思想は、適切な範囲に沿って変化させた際に明確なジッタ窓をもたらすような変数を、使用するという思想である。
【００２９】
図５は、本発明を適用できるプレーヤー装置の一例、とりわけブルーレイディスクプレーヤー５００を示したブロック図である。図５を参照すると、記録担体５０２（たとえばブルーレイ光ディスク）が、スピンドルモーター５０４によって回転駆動されている。光ピックアップユニット５０６は、青色レーザー光源５０８（たとえば青色レーザーダイオード）により発せられたレーザー光により、ブルーレイディスクを照射する。青色レーザー光源５０８は、ブルーレイディスク５０２からのデータ読出中において、２つの異なるモードで動作させられる。第１の動作モードでは、青色レーザー源５０８に供給される電流が変調される（すなわち、レーザー変調器５０８ａのスイッチがオン状態とされる）。レーザー変調器５０８ａの周波数は、典型的には４００ＭＨｚであり、これは書き込まれているデータの周波数よりもずっと高い。第２の動作モードでは、青色レーザー源５０８に供給される電流は変調されない（すなわち、レーザー変調器５０８ａのスイッチがオフ状態とされる）。続いて、光ピックアップユニット５０６は、ブルーレイディスク５０２で反射された光を受光し、受光した光の強さに応じた信号を生成する。光ピックアップユニット５０６内に配された光検出器５１０（たとえばフォトダイオード）は、ブルーレイディスク５０２で反射された光のビームを受光し、その光を、読出信号Ｒｄ＿ｓｉｇとして出力される電気信号に変換する。読出信号Ｒｄ＿ｓｉｇは、マイクロコントローラ５１２のデジタル信号処理ユニット（図示せず）に適用される。デジタル信号処理ユニットは、受け取った読出信号を処理し、処理された信号は、ビデオ外部出力端子Ｖｔｅｒｍおよび／またはオーディオ外部出力端子Ａｔｅｒｍに、相応に出力される。光ピックアップユニット５０６にはまた、トラッキングアクチュエータ（図示せず）、およびフォーカシングアクチュエータ（図示せず）が設けられている。トラッキングアクチュエータは、レーザービームスポットの読出点をブルーレイディスク５０２の半径方向に変位させるように、対物レンズ（図示せず）の方向を変化させる。フォーカシングアクチュエータは、上記のレーザービームスポットの焦点位置を制御する。上記の構成で、光ピックアップユニット５０６は、記録担体上に記録されている情報を読み出し、読出信号Ｒｄ＿ｓｉｇを出力する。ユニット５１４は、読出信号Ｒｄ＿ｓｉｇから、トラッキングエラー信号およびフォーカシングエラー信号を抽出する。トラッキングエラー信号およびフォーカシングエラー信号は、ドライバ５１６に供給される。このドライバ５１６は、トラッキングエラー信号およびフォーカシングエラー信号を用いて、トラッキングアクチュエータ（図示せず）と、フォーカシングアクチュエータ（図示せず）と、スライドモーター（図示せず）と、スピンドルモーターとを制御する。ブルーレイディスクプレーヤー５００はさらに、青色レーザー源５０８の第１の動作モード（すなわちレーザー変調器５０８ａオン）と、青色レーザー源５０８の第２の動作モード（すなわちレーザー変調器５０８ａオフ）とについて、読出信号Ｒｄ＿ｓｉｇを取得するように構成された読出手段５１８を含んでいる。ブルーレイディスクプレーヤー５００はさらに、青色レーザー源５０８の第１の動作モードおよび第２の動作モードについて、読出信号Ｒｄ＿ｓｉｇの品質因子を計算する計算手段５２０を含んでいる。ブルーレイディスクプレーヤー５００はまた、計算された品質因子に基づいて、青色レーザー源５０８の最良のモードを決定する決定手段５２２を含んでいる。ブルーレイディスクプレーヤー５００はさらに、青色レーザー源５０８の決定された最良の動作モードを、記録担体５０２からのデータの読出しのため選択するように構成された手段５２４を含んでいる。図５に示された構成は、ブルーレイプレーヤー装置の一般的な動作に関係する部分だけを図示したものである。光ピックアップユニットを制御するためのサーボ回路、スピンドルモーター、スライドモーター、デジタル信号処理ユニット等は、従来型のシステムと同様に構成されるものであるので、ここではそれらに関する記述および詳細説明は省略する。
【００３０】
本発明のいくつかの実施形態では、品質因子は、焦点オフセットまたは半径方向チルトのジッタ範囲に基づいて計算される。これに代えて、半径方向チルトまたは焦点オフセットのブロックエラーレートの窓またはビットエラーレートの窓を、変調ありの状態と変調なしの状態とで測定することにより、本発明で提案する方法を実施することも可能である。その場合、ビットエラーレートまたはブロックエラーレートのより幅広の窓をもたらす光源動作モードを、記録担体からのデータ読出しのために選択することができる。
【００３１】
本発明のいくつかの実施形態では、上記で開示された記録担体からデータを読み出す方法は、データの読出し／再生を行うブルーレイプレーヤー／リーダーのような装置により実行される、実行可能なコードを含むソフトウェアプログラムとして実装されても良い。このソフトウェアプログラムは、実行されると、レーザー源の最良の動作モードを選択することによりブルーレイディスクからデータを読み出すため、特許請求の範囲に記載の方法の各工程を、装置に実行させる。
【００３２】
以上、主に光ディスクを用いた実施形態に関して本発明を説明してきたが、本発明は、矩形の光カードといったような他の記録担体や、データの読出しに光源および光スポットを使用する他の任意のタイプの情報担体にも適している。当業者においては、上記で説明した記録担体からのデータ読出方法の実施形態を、ソフトウェアで実装することもできるし、ソフトウェアとハードウェアとの両方で実装することもできる。しかしながら、特許請求の範囲で規定されている、本発明のより広範な技術的範囲から逸脱することなく、様々な修正および変更が可能であることは明らかであろう。「含む」もしくは「備える」との動詞、およびそれら動詞の活用形の使用は、請求項または明細書の記載中で述べられているもの以外の要素または工程の存在を、排除するものではない。ある要素または工程に先行する「１つの」または「ある」との不定冠詞の使用は、そのような要素または工程が複数存在することを排除するものではない。図および明細書の記載は、単なる説明目的のものであると捉えられるべきであり、本発明を限定解釈する目的で利用されるべきではない。
【００３３】
要約すると、本発明は、記録担体からデータを読み出す方法であって、
− 光源の第１の動作モードおよび第２の動作モードで記録担体を照射することにより、読出信号を取得する工程と、
− 光源の第１の動作モードおよび第２の動作モードについて、読出信号の品質因子を計算する工程と、
− 計算された品質因子に基づいて、光源の最良の動作モードを決定する工程と、
− 決定された光源の最良の動作モードを、記録担体からのデータ読出しのために選択する工程と
を含む方法を提供する。
【００３４】
この方法は、高速ブルーレイディスクアプリケーションに有用である。
【図面の簡単な説明】
【００３５】
【図１】レーザー変調が適用されている際の、レーザー源の光出力をプロットした図
【図２】典型的なレーザードライバの出力のノイズ電流のスペクトル密度を、ｎＡ√Ｈｚの単位でプロットした図
【図３】本発明の１つの実施形態の例に従う、記録担体からデータを読み出す方法のフローチャート
【図４】半径方向チルトのジッタ範囲に基づいて品質因子を計算する、さらなる実施形態の詳細を示した図
【図５】本発明が適用されるプレーヤー装置の一例、とりわけブルーレイディスクプレーヤーを示したブロック図
【図１】
2009527868.tif 000003
【図２】
2009527868.tif 000004
【図３】
2009527868.tif 000005
【図４】
2009527868.tif 000006
【図５】
2009527868.tif 000007
【国際調査報告】
2009527868.tif 000008
2009527868.tif 000009
2009527868.tif 000010